【手続補正書】
【提出日】平成20年6月23日(2008.6.23)
【手続補正１】
【補正対象書類名】特許請求の範囲
【補正対象項目名】全文
【補正方法】変更
【補正の内容】
【特許請求の範囲】
【請求項１】
透明硬質素材面を有する、二種の相対面と他一面に相対する面を持たず開放されている事を主な構成要素とする容器本体と、その容器本体の開放部の口に密着することで、周囲から土砂などの内容物の漏れがない、板面もしくは立体形状からなる蓋とを備えた生物飼育容器であって、前記蓋には内容物の出し入れができ、容器の側面を底面として置いた場合に、その底面から土砂などの生物用床材が一定量入れられる充分な高さの所に設けられた投入口を備えており、前記容器本体もしくは前記蓋のいずれかに、土砂などの内容物が漏れない様に設けられた、内生物の生命維持に必要な通気孔を備えており、本来の底面以外の容器側面を底面として衛生的に利用が可能である事を特徴とする、生物飼育容器。
【請求項２】
前記蓋は、前記容器本体の開放部の口に着脱自在である事を特徴とする、請求項１記載の生物飼育容器。
【請求項３】
前記通気孔は、閉じて内容物の流出防止機能と開けて通気機能を果たす、開閉機能を有する通気口装置である事を特徴とする、請求項１記載の生物飼育容器。
【請求項４】
前記投入口は直径４５ｍｍの球体が通過する大きさである事と、前記投入口までの高さが容器開放部から見て側面である二種の相対面の一つずつをそれぞれ底面として置いた場合に、一底面から前記投入口までの高さが１０ｍｍ以上、もう一底面から前記投入口までの高さが２５ｍｍ以上である事を特徴とする、請求項１記載の生物飼育容器。
【請求項５】
前記通気孔は、通気孔部にネジ溝を有する口を設け、ネジ溝を有する栓により通気口を開閉する、ネジ込み式の通気口装置である事と、前記蓋は、容器本体開放部周縁に弾性素材を介して取り付ける事を特徴とする、請求項１記載の生物飼育容器。
【請求項６】
前記ネジ込み式の通気口装置を複数有する事を特徴とする、請求項５記載の生物飼育容器。
【請求項７】
前記投入口をメンテナンス口として利用し、メンテナンス口部外に設けられた内生物の生命維持用の通気孔が全て、複数のネジ込み式の通気口装置で構成する事を特徴とする請求項１記載の生物飼育容器。
【請求項８】
前記通気口装置は、生物飼育容器の外壁面から内壁面へ貫通するトンネルを有する形状
で、そのトンネルの双方の口にネジ溝を持ち、それを利用して栓や器具を装着する事が可
能な、環境調節口装置である事を特徴とする、請求項５または７記載の生物飼育容器。
【請求項９】
前記環境調節口装置を前記ネジ込み式の通気口装置として含む、ネジ込み式の通気口装置を三つ以上有する事を特徴とする、請求項８記載の生物飼育容器。
【請求項１０】
前記環境調節口装置を前記ネジ込み式の通気口装置として含む、ネジ込み式の通気口装置を四つ以上有する事を特徴とする、請求項８記載の生物飼育容器。
【請求項１１】
前記メンテナンス口に備える扉がスライド開閉する事を特徴とする、請求項７記載の生物飼育容器。
【請求項１２】
前記メンテナンス口に備える扉は、容器外壁面の平面部に空く口の周囲壁面上に、弾性素材からなるパッキンの口を設け、そのパッキンの口の両側に平行に設けられた溝を有するレール部により、パッキンを押さえ込みつつスライド開閉し、パッキンの口部を覆い塞ぐ扉装置である事を特徴とする、請求項１１記載の生物飼育容器。
【請求項１３】
前記通気口装置は、ネジ溝を有する栓を閉め切った時に、その栓が塞ぐネジ溝を有する口の側面部に孔を設けた事を特徴とする、請求項５または７記載の生物飼育容器。
【請求項１４】
透明硬質素材面を有する、二種の相対面と他一面に相対する面を持たず開放されている事を主な構成要素とする容器の開放部の口に密着することで、周囲から土砂などの内容物の漏れがない、板面もしくは立体形状からなる蓋であって、前記蓋には内容物の出し入れができ、容器の側面を底面として置いた場合に、その底面から土砂などの生物用床材が一定量入れられる充分な高さの所に設けられた投入口を備えている事を特徴とする、生物飼育容器の蓋。
【請求項１５】
透明硬質素材面を有する、直方体状の容器に、内容物の出し入れができ、容器の側面を底面として置いた場合に、その底面から土砂などの生物用床材が一定量入れられる充分な高さの所に設けられた投入口と、土砂などの内容物が漏れない様に設けられた、内生物の生命維持に必要な通気孔を備えており、容器の面積の異なった側面を底面として衛生的に利用が可能である事を特徴とする、生物飼育容器。
【手続補正２】
【補正対象書類名】明細書
【補正対象項目名】発明の名称
【補正方法】変更
【補正の内容】
【発明の名称】多様な生態に対応する生物飼育容器、およびその容器の蓋
【手続補正３】
【補正対象書類名】明細書
【補正対象項目名】０００９
【補正方法】変更
【補正の内容】
【０００９】
そこでこの発明は、一つの生物飼育容器で、多様な生物生態に幅広く対応する生物飼育容器、およびその容器の蓋を提供する事を課題とする。
【手続補正４】
【補正対象書類名】明細書
【補正対象項目名】００１０
【補正方法】変更
【補正の内容】
【００１０】
以上の課題を解決する為に、第一発明は、透明硬質素材面を有する、二種の相対面と他一面に相対する面を持たず開放されている事を主な構成要素とする容器本体と、その容器本体の開放部の口に密着することで、周囲から土砂などの内容物の漏れがない、板面もしくは立体形状からなる蓋とを備えた生物飼育容器であって、前記蓋には内容物の出し入れができ、容器の側面を底面として置いた場合に、その底面から土砂などの生物用床材が一定量入れられる充分な高さの所に設けられた投入口を備えており、前記容器本体もしくは前記蓋のいずれかに、土砂などの内容物が漏れない様に設けられた、内生物の生命維持に必要な通気孔を備えており、本来の底面以外の容器側面を底面として衛生的な使用が可能である事を特徴とする、生物飼育容器である。
【手続補正５】
【補正対象書類名】明細書
【補正対象項目名】００１１
【補正方法】変更
【補正の内容】
【００１１】
また第二発明は、前記蓋が、前記容器本体の開放部の口に着脱自在である事を特徴とする、請求項１記載の生物飼育容器である。
【手続補正６】
【補正対象書類名】明細書
【補正対象項目名】００１２
【補正方法】変更
【補正の内容】
【００１２】
また第三発明は、前記通気孔が、閉じて内容物の流出防止機能と開けて通気機能を果たす、開閉機能を有する通気口装置である事を特徴とする、請求項１記載の生物飼育容器である。
【手続補正７】
【補正対象書類名】明細書
【補正対象項目名】００１３
【補正方法】変更
【補正の内容】
【００１３】
また第四発明は、前記投入口が直径４５ｍｍの球体が通過する大きさである事と、前記投入口までの高さが容器開放部から見て側面である二種の相対面の一つずつをそれぞれ底面として置いた場合に、一底面から前記投入口までの高さが１０ｍｍ以上、もう一底面から前記投入口までの高さが２５ｍｍ以上である事を特徴とする、請求項１記載の生物飼育容器である。
【手続補正８】
【補正対象書類名】明細書
【補正対象項目名】００１４
【補正方法】変更
【補正の内容】
【００１４】
また第五発明は、前記通気孔が、通気孔部にネジ溝を有する口を設け、ネジ溝を有する栓により通気口を開閉する、ネジ込み式の通気口装置である事と、前記蓋が、容器本体開放部周縁に弾性素材を介して取り付ける事を特徴とする、請求項１記載の生物飼育容器である。
【手続補正９】
【補正対象書類名】明細書
【補正対象項目名】００１５
【補正方法】変更
【補正の内容】
【００１５】
また第六発明は、前記ネジ込み式の通気口装置を複数有する事を特徴とする、請求項５記載の生物飼育容器である。
【手続補正１０】
【補正対象書類名】明細書
【補正対象項目名】００１６
【補正方法】変更
【補正の内容】
【００１６】
また第七発明は、前記投入口をメンテナンス口として利用し、メンテナンス口部外に設けられた内生物の生命維持用の通気孔が全て、複数のネジ込み式の通気口装置で構成する事を特徴とする請求項１記載の生物飼育容器である。
【手続補正１１】
【補正対象書類名】明細書
【補正対象項目名】００１７
【補正方法】変更
【補正の内容】
【００１７】
また第八発明は、前記通気口装置が、生物飼育容器の外壁面から内壁面へ貫通するトンネルを有する形状で、そのトンネルの双方の口にネジ溝を持ち、それを利用して栓や器具を装着する事が可能な、環境調節口装置である事を特徴とする、請求項５または７記載の生物飼育容器である。
【手続補正１２】
【補正対象書類名】明細書
【補正対象項目名】００１８
【補正方法】変更
【補正の内容】
【００１８】
また第九発明は、前記環境調節口装置を前記ネジ込み式の通気口装置として含む、ネジ込み式の通気口装置を三つ以上有する事を特徴とする、請求項８記載の生物飼育容器である。
【手続補正１３】
【補正対象書類名】明細書
【補正対象項目名】００１９
【補正方法】変更
【補正の内容】
【００１９】
また第十発明は、前記環境調節口装置を前記ネジ込み式の通気口装置として含む、ネジ込み式の通気口装置を四つ以上有する事を特徴とする、請求項８記載の生物飼育容器である。
【手続補正１４】
【補正対象書類名】明細書
【補正対象項目名】００２０
【補正方法】変更
【補正の内容】
【００２０】
また第十一発明は、前記メンテナンス口に備える扉がスライド開閉する事を特徴とする請求項７記載の生物飼育容器である。
【手続補正１５】
【補正対象書類名】明細書
【補正対象項目名】００２１
【補正方法】変更
【補正の内容】
【００２１】
また第十二発明は、前記メンテナンス口に備える扉が、容器外壁面の平面部に空く口の周囲壁面上に、弾性素材からなるパッキンの口を設け、そのパッキンの口の両側に平行に設けられた溝を有するレール部によりパッキンを押さえ込みつつスライド開閉し、パッキンの口部を覆い塞ぐ扉装置である事を特徴とする請求項１１記載の生物飼育容器である。
【手続補正１６】
【補正対象書類名】明細書
【補正対象項目名】００２２
【補正方法】変更
【補正の内容】
【００２２】
また第十三発明は、前記通気口装置が、ネジ溝を有する栓を閉め切った時に、その栓が塞ぐネジ溝を有する口の側面部に孔を設けた事を特徴とする、請求項５または７記載の生物飼育容器である。
【手続補正１７】
【補正対象書類名】明細書
【補正対象項目名】００２３
【補正方法】変更
【補正の内容】
【００２３】
第一発明により、透明硬質素材面を有する二種の相対面と他一面に相対する面を持たず開放されている事を主な構成要素とする容器を、開放部を上に向けた設置と、開放部から見た側面を底として設置する事が可能な生物飼育容器となる。
【手続補正１８】
【補正対象書類名】明細書
【補正対象項目名】００２４
【補正方法】変更
【補正の内容】
【００２４】
第二発明、第三発明、第四発明により、容器の洗浄が容易になり、通気口や投入口部分から土砂などを外部に漏らさない、衛生的な生物飼育容器となる。
【手続補正１９】
【補正対象書類名】明細書
【補正対象項目名】００２５
【補正方法】変更
【補正の内容】
【００２５】
第五発明により、前記通気孔部にネジ溝を有する口を設けた事で、それを利用して密閉性の高い栓を装着可能な事と、弾性素材により、容器本体開放部周縁等からの土砂漏れなどをしっかり防止して衛生的である。又、やはり前記ネジ溝を利用して、加工された栓や器具を取り付けられるので、通気や湿度の調整など、多様な生物生態に対応し、内生物にとって快適な生物飼育容器となる。
【手続補正２０】
【補正対象書類名】明細書
【補正対象項目名】００２６
【補正方法】変更
【補正の内容】
【００２６】
第六発明によれば、前記効果に加え、前記通気口装置の数を複数に増やす事により、そこに装着する栓や器具を個々に変える事もでき、より快適な生物飼育容器となる。
【手続補正２１】
【補正対象書類名】明細書
【補正対象項目名】００２９
【補正方法】変更
【補正の内容】
【００２９】
第九、十発明によれば、前記効果に加え、三相対面を主な構成要素として確認できる容器のメンテナンス口の付く面以外のどの面を底として使用しても、通気性や利便性のより快適な生物飼育容器となる。
【手続補正２２】
【補正対象書類名】明細書
【補正対象項目名】００３０
【補正方法】変更
【補正の内容】
【００３０】
第十一発明によれば、前記効果に加え、内生物の脱出防止に優れ、前記のどのような置き方をしても開くメンテナンス口用扉をもつ、生物飼育容器となる。
【手続補正２３】
【補正対象書類名】明細書
【補正対象項目名】００３１
【補正方法】変更
【補正の内容】
【００３１】
第十二発明によれば、前記効果に加え、密閉性の高い扉装置をもつ、生物飼育容器となる。
【手続補正２４】
【補正対象書類名】明細書
【補正対象項目名】００３５
【補正方法】変更
【補正の内容】
【００３５】
この直方体状という表現は製造上、若干角を丸める、角を落とすなど、厳密な直方体でなくとも同様の機能を維持していれば良く、直方体の特性のひとつである三つの相対面の一面を外した形状に類似し、二種の相対面と他一面に相対する面が開放されている事が主な構成要素で、面積比率の異なる三種の面を確認する容器であれば良い。それら面積の異なる面を底面として利用でき、生物飼育機能を保持できる様にすれば飼育者は一つの生物飼育容器の高さや広さを変えて快適に利用できる。